(57)【要約】【課題】環境光が明るい場合に、電子機器がいかなる姿勢にあっても、可動表示部の表示画像と同等の画像をユーザが自然な体勢で観察できるようにする。【解決手段】  電子機器は、電子機器本体に対して第１の回転軸の回りに回転可能に取り付けられる可動表示部と、可動表示部の外周端に垂直な第２の回転軸を中心に回転可能であって、可動表示部の表示画像と同一または相似の画像をユーザに観察させる画像観察部とを備える。【選択図】図１
2014206626.tif 000002
【特許請求の範囲】
【請求項１】
電子機器本体に対して第１の回転軸の回りに回転可能に取り付けられる可動表示部と、
前記可動表示部の外周端に垂直な第２の回転軸を中心に回転可能であって、前記可動表示部の表示画像と同一または相似の画像をユーザに観察させる画像観察部と、
を備えることを特徴とする電子機器。
【請求項２】
請求項１に記載の電子機器において、
前記可動表示部は、矩形形状であり、
前記画像観察部は、前記可動表示部の長辺側の外周端のうち前記第１の回転軸の近傍に取り付けられることを特徴とする電子機器。
【請求項３】
請求項１または２に記載の電子機器において、
前記画像観察部の姿勢を検出する第１姿勢検出部と、
前記第１姿勢検出部の検出結果に基づいて、前記ユーザに前記可動表示部の表示画像と同一または相似の画像を前記画像観察部から観察させるか否かを決定する表示制御部と、
をさらに備えることを特徴とする電子機器。
【請求項４】
請求項３に記載の電子機器において、
前記可動表示部の姿勢を検出する第２姿勢検出部をさらに備え、
前記表示制御部は、前記第１および第２の姿勢検出部の検出結果に基づいて、前記ユーザに前記可動表示部の表示画像と同一または相似の画像を前記画像観察部から観察させるか否かを決定することを特徴とする電子機器。
【請求項５】
請求項４に記載の電子機器において、
前記表示制御部は、前記第１および第２の姿勢検出部の検出結果に基づいて、前記表示画像と同一または相似の画像の表示方向を制御することを特徴とする電子機器。
【請求項６】
請求項１から５のいずれか一項に記載の電子機器において、
前記電子機器本体に設けられ、前記可動表示部が収納される収納部と、
前記電子機器本体の底面または上面に開口部を有する凹部とをさらに備え、
前記可動表示部が前記収納部に収納されると共に前記画像観察部が前記凹部に収納された場合に、前記凹部の前記開口部が前記電子機器本体の底面に設けられたときは前記画像観察部の底面が前記電子機器本体の底面と面一であり、前記凹部の前記開口部が前記電子機器本体の上面に設けられたときは前記画像観察部の上面が前記電子機器本体の上面と面一であることを特徴とする電子機器。
【請求項７】
請求項１から６のいずれか一項に記載の電子機器において、
前記第２の回転軸は、前記画像観察部の底面または上面の周縁部と垂直に交わることを特徴とする電子機器。
【請求項８】
請求項１から７のいずれか一項に記載の電子機器において、
前記画像観察部は、
前記可動表示部の外周端に回転可能に取り付けられた接続部と、
前記接続部に着脱可能に装着された外付け画像観察装置と、
を有することを特徴とする電子機器。
【請求項９】
請求項１から８のいずれか一項に記載の電子機器と、
被写体像を撮像して撮像画像を出力する撮像部と、
を備え、
前記画像観察部は、電子ビューファインダ部であることを特徴とする撮像装置。
【発明の詳細な説明】
【技術分野】
【０００１】
本発明は電子機器および撮像装置に関する。
【背景技術】
【０００２】
特許文献１には、撮影レンズの光軸方向と光学ファインダの光軸方向とが平行であり、撮影レンズの光軸と表示モニタの光軸とが成す相対角度が可変の撮像装置が開示されている。
【先行技術文献】
【特許文献】
【０００３】
【特許文献１】特開平１１−６９２１３号公報
【発明の概要】
【発明が解決しようとする課題】
【０００４】
デジタルカメラなどの表示モニタを有する電子機器では、環境光が明るいときに表示モニタを視認することが困難な状況に陥ることがある。例えば、特許文献１に記載の撮像装置において、ライブビュー画像を表示モニタに表示した状態でローアングル撮影を行う場合、太陽光などの環境光によりそのライブビュー画像が視認困難な状況に陥ることがある。特許文献１に記載されているデジタルカメラでは、ユーザは、光学ファインダを用いてそのライブビュー画像と同等（同一または相似）の光像を確認することができるが、撮影レンズの光軸方向と光学ファインダの光軸方向とが平行に設けられているため、ローアングル撮影等の場合には無理な体勢で覗くことが強いられる。
【課題を解決するための手段】
【０００５】
本発明の一実施の形態による電子機器は、電子機器本体に対して第１の回転軸の回りに回転可能に取り付けられる可動表示部と、可動表示部の外周端に垂直な第２の回転軸を中心に回転可能であって、可動表示部の表示画像と同一または相似の画像をユーザに観察させる画像観察部と、を備えることを特徴とする。
【発明の効果】
【０００６】
環境光が明るい場合に、電子機器がいかなる姿勢にあっても、可動表示部の表示画像と同等の画像をユーザが自然な体勢で観察することができる。
【図面の簡単な説明】
【０００７】
【図１】本発明の一実施の形態による電子機器の一例としてカメラの構成を示すブロック図である。
【図２】カメラの斜視図の一例である。
【図３】（ａ）収納状態のカメラの斜視図の一例である。（ｂ）収納状態のカメラの背面図である。
【図４】カメラの斜視図の一例である。
【図５】カメラの斜視図の一例である。
【図６】カメラの斜視図の一例である。
【図７】カメラの斜視図の一例である。
【図８】カメラの斜視図の一例である。
【図９】カメラの斜視図の一例である。
【図１０】（ａ）カメラの制御ブロック図の一例である。（ｂ）カメラの姿勢に対してモニタ表示制御部とＥＶＦ表示制御部とが実行する制御について説明するための図である。
【図１１】画像観察部と第２の回転軸との関係の説明に用いる図である。
【図１２】ローアングル撮影時のカメラの姿勢例を示すカメラの斜視図の一例である。
【図１３】画像観察部が着脱可能に装着されるカメラの斜視図の一例である。
【発明を実施するための形態】
【０００８】
図１は、本発明の一実施の形態による電子機器の一例であるデジタルカメラの構成を示すブロック図である。図１に例示されるカメラ１００は、操作部材１０１とレンズ１０２と撮像素子１０３と制御装置１０４とバリアングルモニタ１０５と電子ビューファインダ１０６とモニタ姿勢検出部１０７とＥＶＦ姿勢検出部１０８とを備える。
【０００９】
操作部材１０１は、使用者によって操作される種々の入力部材、例えば電源ボタン、レリーズボタン、ズームボタン、十字キー、決定ボタン、再生ボタン、削除ボタンなどを含んでいる。
【００１０】
レンズ１０２は、撮像素子１０３の撮像面上に被写体像を結像させる。図１では、レンズ１０２は、図を簡単にするため単レンズとして図示されているが、不図示のフォーカシングレンズ、ズームレンズなど複数の光学系で構成される。
【００１１】
撮像素子１０３は、例えばＣＭＯＳなどのイメージセンサであり、レンズ１０２により結像した被写体像を撮像して、画像信号を生成する。撮像素子１０３は、その画像信号を制御装置１０４へ出力する。
【００１２】
制御装置１０４は、ＣＰＵ、メモリ１０９、画像処理回路などにより構成され、カメラ１００の各部を制御する。制御装置１０４を構成するメモリ１０９には、ＳＤＲＡＭやフラッシュメモリなどが含まれる。ＳＤＲＡＭは、揮発性のメモリであって、ＣＰＵがプログラム実行時にプログラムを展開するワークメモリとして使用されるだけでなく、データを一時的に記録するためのバッファメモリとしても使用される。例えば、制御装置１０４は、撮像素子１０３から出力された画像信号をそれぞれＳＤＲＡＭに一時記憶させると共に、その画像信号に対して種々の画像処理を実行する。フラッシュメモリは、不揮発性のメモリであって、制御装置１０４が実行するプログラムのデータや、プログラム実行時に読み込まれる種々のパラメータなどが記録されている。
【００１３】
バリアングルモニタ１０５は、可動式の表示装置であり、液晶モニタ１１０を有する。液晶モニタ１１０には、制御装置１０４の制御のもとライブビュー画像やメニュー画面などが表示される。
【００１４】
電子ビューファインダ１０６は、小型表示部１２０と接眼部１２１とを有する画像観察部である。小型表示部１２０は、例えば小型の液晶モニタであって、バリアングルモニタ１０５の液晶モニタ１１０の表示画像を縮小した画像を表示することができる。ユーザは、接眼部１２１を覗くことにより小型表示部１２０に表示された画像を観察することができる。このとき、接眼部１２１を覗くユーザの頭部等により小型表示部１２０を照明する環境光（太陽光など）が遮断されるため、小型表示部１２０に表示された画像の視認性は低下しない。
【００１５】
図２に図示されるように、バリアングルモニタ１０５は、ヒンジ部１１１によりカメラ１００の本体１１２に連結される。図２では、バリアングルモニタ１０５およびその液晶モニタ１１０は、角が丸められた長方形状を有している。
【００１６】
電子ビューファインダ１０６は、接続部１２２を介して、バリアングルモニタ１０５の長辺側の外周端１１３に接続される。図２では、電子ビューファインダ１０６は、長辺側の外周端１１３のうちヒンジ部１１１の近傍に接続されている。
【００１７】
バリアングルモニタ１０５と電子ビューファインダ１０６と接続部１２２とは、第１回転軸１３１の軸回りと第３回転軸１３３の軸回りとに一体となって回転可能である。
【００１８】
接続部１２２は、バリアングルモニタ１０５の外周端１１３に垂直な第２回転軸１３２の軸回りに回転可能である。電子ビューファインダ１０６は、接続部１２２に固着しており、接続部１２２と共に第２回転軸１３２の軸回りに回転する。電子ビューファインダ１０６が第２回転軸１３２の軸回りに回転することにより、電子ビューファインダ１０６の接眼部１２１が向いている方向とバリアングルモニタ１０５の液晶モニタ１１０が向いている方向とが成す角度が変化する。図２では、電子ビューファインダ１０６の接眼部１２１が向いている方向とバリアングルモニタ１０５の液晶モニタ１１０が向いている方向とが同一である。
【００１９】
バリアングルモニタ１０５は、液晶モニタ１１０に表示する画像に関する情報と電子ビューファインダ１０６の小型表示部１２０（図２には不図示）に表示する縮小画像に関する情報とをヒンジ部１１１から第３回転軸１３３に沿って延びる配線（不図示）から取得する。電子ビューファインダ１０６は、接続部１２２を介して小型表示部１２０に表示する縮小画像に関する情報をバリアングルモニタ１０５から取得する。
【００２０】
カメラ１００の本体１１２は、その背面１４１にバリアングルモニタ１０５を収納するためのモニタ収納部１５１が凹設される。また、カメラ１００の本体１１２は、モニタ収納部１５１の下方、第１回転軸１３１の近傍に電子ビューファインダ１０６を収納するための凹部１５２を有している。
【００２１】
図１のモニタ姿勢検出部１０７は、バリアングルモニタ１０５の姿勢を検出する。すなわち、バリアングルモニタ１０５が図２に示した第１回転軸１３１の軸回りに回転した角度θ１と第３回転軸１３３の軸回りに回転した角度θ３とを検出する。モニタ姿勢検出部１０７は、例えばホール素子ＩＣであって、バリアングルモニタ１０５に内蔵された不図示の永久磁石が作る磁場を検出して、検出された磁場の強さによりバリアングルモニタ１０５の姿勢を検出する。
【００２２】
図１のＥＶＦ姿勢検出部１０８は、電子ビューファインダ１０６の姿勢を検出する。すなわち、図２に示した第２回転軸１３２の軸回りに回転した角度θ２を検出する。ＥＶＦ姿勢検出部１０８は、例えばホール素子ＩＣであって、バリアングルモニタ１０５に内蔵された不図示の永久磁石が作る磁場を検出して、検出された磁場の強さによりＥＶＦ姿勢検出部１０８の姿勢を検出する。
【００２３】
図３（ａ）および（ｂ）は、カメラ１００の斜視図と背面図であって、バリアングルモニタ１０５がモニタ収納部１５１に収納されると共に、電子ビューファインダ１０６が凹部１５２に収納された状態を示す。図３（ａ）および（ｂ）に示すカメラ１００の姿勢では、液晶モニタ１１０（不図示）がカメラ１００の本体１１２に隠れており、電子ビューファインダ１０６の接眼部１２１（不図示）がカメラ１００の前面側に向いている。
【００２４】
図３（ｂ）に図示されているように、凹部１５２に収納された電子ビューファインダ１０６の底面１２３は、カメラ１００の本体１１２の底面１４２と略面一であって、本体１１２の底面１４２から突出しない。また、図３（ａ）に図示されているように、凹部１５２に収納された電子ビューファインダ１０６の左面１２４は、カメラ１００の本体１１２の左面１４３と略面一であって、本体１１２の左面１４３から突出しない。このように、凹部１５２に収納された電子ビューファインダ１０６はカメラ１００の本体１１２から突出しないため、カメラ１００を三脚等に取り付ける際に邪魔にならず、カメラ１００の運搬時などに電子ビューファインダ１０６が破損する可能性も低減される。
【００２５】
図４は、カメラ１００の斜視図であって、図３（ａ）に示すカメラ１００の姿勢から第２回転軸１３２の軸回りに電子ビューファインダ１０６と接続部１２２とを１８０度回転させた姿勢を示す。図４に示すカメラ１００の姿勢では、電子ビューファインダ１０６の接眼部１２１がカメラ１００の背面側に向いている。
【００２６】
図５は、カメラ１００の斜視図であって、図４に示すカメラ１００の姿勢からバリアングルモニタ１０５と電子ビューファインダ１０６と接続部１２２とを第１回転軸１３１の軸回りに１８０度回転させた姿勢を示す。図５に示すカメラ１００の姿勢では、バリアングルモニタ１０５の液晶モニタ１１０がカメラ１００の本体１１２の背面側に露出しており、電子ビューファインダ１０６の接眼部１２１（不図示）がカメラ１００の前面側に向いている。
【００２７】
図５に示すカメラ１００の姿勢から第２回転軸１３２の軸回りに電子ビューファインダ１０６と接続部１２２とを１８０度回転させると、図２に示す姿勢となる。
【００２８】
図６は、カメラ１００の斜視図であって、図２に示すカメラ１００の姿勢からバリアングルモニタ１０５と電子ビューファインダ１０６と接続部１２２（不図示）とを第３回転軸１３３の軸回りに１８０度回転させた姿勢を示す。図６に示すカメラ１００の姿勢では、バリアングルモニタ１０５の液晶モニタ１１０がカメラ１００の本体１１２の前面側に露出しており、電子ビューファインダ１０６の接眼部１２１（不図示）もカメラ１００の前面側に向いている。
【００２９】
図７は、カメラ１００の斜視図であって、図６に示すカメラ１００の姿勢から第２回転軸１３２の軸回りに電子ビューファインダ１０６と接続部１２２とを１８０度回転させた姿勢を示す。図７に示すカメラ１００の姿勢では、バリアングルモニタ１０５の液晶モニタ１１０がカメラ１００の本体１１２の前面側に露出しており、電子ビューファインダ１０６の接眼部１２１がカメラ１００の背面側に向いている。
【００３０】
図８は、カメラ１００の斜視図であって、図７に示すカメラ１００の姿勢からバリアングルモニタ１０５と電子ビューファインダ１０６と接続部１２２（不図示）とを第１回転軸１３１の軸回りに１８０度回転させた姿勢を示す。図８に示すカメラ１００の姿勢では、バリアングルモニタ１０５の液晶モニタ１１０がカメラ１００の本体１１２の背面側に露出させた状態でモニタ収納部１５１に収納されている。電子ビューファインダ１０６は、モニタ収納部１５１よりも上部に接眼部１２１（不図示）をカメラ１００の前面側に向けている。
【００３１】
図９は、カメラ１００の斜視図であって、図８に示すカメラ１００の姿勢から第２回転軸１３２の軸回りに電子ビューファインダ１０６と接続部１２２とを１８０度回転させた姿勢を示す。図９に示すカメラ１００の姿勢では、バリアングルモニタ１０５の液晶モニタ１１０がカメラ１００の本体１１２の背面側に露出させた状態でモニタ収納部１５１に収納されている。また、図９に示すカメラ１００の姿勢では、電子ビューファインダ１０６の接眼部１２１もカメラ１００の背面側に向いている。
【００３２】
図１０（ａ）は、カメラ１００の制御装置１０４の制御ブロック図である。図１０（ａ）に示されるように、制御装置１０４は、メモリ１０９に記憶されたプログラムを実行することにより、少なくともモニタ表示制御部１６１とＥＶＦ表示制御部１６２として機能する。
【００３３】
モニタ表示制御部１６１は、モニタ姿勢検出部１０７により検出されたバリアングルモニタ１０５の姿勢に基づいて、バリアングルモニタ１０５の液晶モニタ１１０への画像表示のオンオフ制御とその液晶モニタ１１０に表示する画像の向きの制御とを実行する。図１０（ｂ）は、バリアングモニタ１０５を備えたカメラ１００が図２、図３（ａ）および（ｂ）、図４、図５、図６、図７、図８、図９に図示された各姿勢にあるときに、モニタ表示制御部１６１が実行する制御を示す。
【００３４】
図３（ａ）および（ｂ）と図４とに示されるように、液晶モニタ１１０がカメラ１００の本体１１２で隠れた状態でモニタ収納部１５１に収納されている場合、モニタ表示制御部１６１は、液晶モニタ１１０への画像表示をオフ状態に切り替える。また、図８と図９とに示されるように、液晶モニタ１１０が露出した状態でモニタ収納部１５１に収納されている場合、モニタ表示制御部１６１は、表示画像を液晶モニタ１１０にそのまま表示する（通常表示する）。
【００３５】
図６と図７とに示されるように、液晶モニタ１１０がカメラ１００の前面側に向いた状態で露出している場合、モニタ表示制御部１６１は、表示画像を左右反転させて液晶モニタ１１０に表示する。
【００３６】
図２と図５とに示されるように、液晶モニタ１１０がカメラ１００の背面側に向いた状態で露出している場合、モニタ表示制御部１６１は、表示画像を上下左右反転させて液晶モニタ１１０に表示する。
【００３７】
ＥＶＦ表示制御部１６２は、モニタ姿勢検出部１０７により検出されたバリアングルモニタ１０５の姿勢とＥＶＦ姿勢検出部１０８により検出された電子ビューファインダ１０６の姿勢とに基づいて、電子ビューファインダ１０６の小型表示部１２０への画像表示のオンオフ制御とその小型表示部１２０に表示する画像の向きの制御とを実行する。電子ビューファインダ１０６を備えたカメラ１００が図２、図３（ａ）および（ｂ）、図４、図５、図６、図７、図８、図９に図示された各姿勢にあるときに、ＥＶＦ表示制御部１６２が実行する制御についても図１０（ｂ）に示す。
【００３８】
図３（ａ）および（ｂ）と図５と図６と図８とに示されるように、電子ビューファインダ１０６の接眼部１２１がカメラ１００の前面側に向いた状態で露出している場合、ＥＶＦ表示制御部１６２は、小型表示部１２０への画像表示をオフ状態に切り替える。すなわち、ＥＶＦ表示制御部１６２は、小型表示部１２０に表示された画像をユーザに観察させない。
【００３９】
図２と図９とに示されるように、電子ビューファインダ１０６の接眼部１２１がカメラ１００の背面側に向き、液晶モニタ１１０もカメラ１００の背面側に向いている場合、ＥＶＦ表示制御部１６２は、液晶モニタ１１０の表示画像を縮小した画像を小型表示部１２０に表示する。図２の場合は、液晶モニタ１１０に表示されている上下左右反転された表示画像を縮小して小型表示部１２０へ表示する。図９の場合は、液晶モニタ１１０に表示されている反転制御されていない表示画像を縮小して小型表示部１２０へ表示する。
【００４０】
図７に示されるように、電子ビューファインダ１０６の接眼部１２１がカメラ１００の背面側に向き、液晶モニタ１１０がカメラ１００の前面側に向いている場合、ＥＶＦ表示制御部１６２は、液晶モニタ１１０の表示画像を縮小かつ左右反転させて小型表示部１２０へ表示する。すなわち、液晶モニタ１１０に表示されている左右反転された表示画像を縮小して左右反転して小型表示部１２０へ表示する。
【００４１】
図４に示されるように、電子ビューファインダ１０６の接眼部１２１がカメラ１００の背面側に向き、液晶モニタ１１０がカメラ１００の前面側に向いている場合であって、液晶モニタ１１０がオフ状態にあるときは、表示画像を縮小かつ上下左右反転させて小型表示部１２０へ表示する。
【００４２】
図１１は、図３（ｂ）に示した底面１２３に対向する電子ビューファインダ１０６の面１２５を模式に示した図である。図１１には、図３（ｂ）のようにカメラ１００の前面側に接眼部１２１を向けて電子ビューファインダ１０６を凹部１５２に収納した姿勢を実線で示し、図４のようにカメラ１００の背面側に接眼部１２１を向けて電子ビューファインダ１０６を凹部１５２に収納した姿勢を破線で示している。
【００４３】
図１１を見て明らかなように、接続部１２２は、接眼部１２１を有する接眼面に対向するＥＶＦ背面１２６の近傍に設けられる。この接続部１２２を通過する第２回転軸１３２は、図１１の紙面垂直方向に延在し、ＥＶＦ背面１２６に対して垂直に交わる。そして、電子ビューファインダ１０６と凹部１５２との間には、電子ビューファインダ１０６が第２回転軸１３２（不図示）の軸回りに回転したときに電子ビューファインダ１０６がカメラ１００の本体１１２と干渉しないように十分なスペースが設けられている。
【００４４】
カメラ１００の動作について説明する。
カメラ１００を使用していないとき、バリアングルモニタ１０５と電子ビューファインダ１０６は、図３（ａ）に示す収納位置に収納される。すなわち、バリアングルモニタ１０５は液晶モニタ１１０（不図示）をカメラ１００の前面側に向けて隠した状態でモニタ収納部１５１に収納され、電子ビューファインダ１０６は接眼部１２１（不図示）をカメラ１００の前面側に向けた状態で凹部１５２に収納されている。このとき、バリアングルモニタ１０５の液晶モニタ１１０と、電子ビューファインダ１０６の小型表示部１２０（不図示）とは共にオフ状態である。
【００４５】
ユーザは、カメラ１００を用いて撮影を行う場合は、カメラ１００を図３（ａ）の姿勢から図２の姿勢に変更する。たとえば、ユーザは、バリアングルモニタ１０５と電子ビューファインダ１０６とを共に第１回転軸１３１の軸回りに回転させてカメラ１００を図２の姿勢に変化させる。このとき、モニタ表示制御部１６１は、上下左右反転させたライブビュー画像を液晶モニタ１１０に表示する。ＥＶＦ表示制御部１６２は上下左右反転させて縮小したライブビュー画像を電子ビューファインダ１０６の小型表示部１２０（不図示）に表示する。
【００４６】
バリアングルモニタ１０５の液晶モニタ１１０が太陽光などの環境光により視認困難となった場合、ユーザは、電子ビューファインダ１０６の接眼部１２１から小型表示部１２０に表示されたライブビュー画像を観察することができる。電子ビューファインダ１０６がバリアングルモニタ１０５の外周端１１３の下方長辺側に位置しているため、ユーザが接眼部１２１を覗いたときに鼻がカメラ１００などに接触せず、カメラ１００が汚れない。
【００４７】
ローアングル撮影を行う場合、ユーザは、バリアングルモニタ１０５と電子ビューファインダ１０６とを共に第３回転軸１３３の軸回りに回転させてカメラ１００を図１２の姿勢に変化させる。図１２に示す姿勢では、バリアングルモニタ１０５の液晶モニタ１１０が鉛直方向上向きに向けられており、ユーザが液晶モニタ１１０に表示されたライブビュー画像を容易に観察することができる。
【００４８】
図１２に示す姿勢では、太陽光などにより液晶モニタ１１０の表示画面が視認困難となりやすい。図１２に示すような姿勢において液晶モニタ１１０の表示画面が視認困難となった場合でも、ユーザは、電子ビューファインダ１０６の接眼部１２１から小型表示部１２０に表示されたライブビュー画像を観察することができる。また、ユーザは、第２回転軸１３２の軸回りに電子ビューファインダ１０６を回転させることにより、自然な体勢で電子ビューファインダ１０６の接眼部１２１を覗くことができる。
【００４９】
以上で説明した実施の形態によれば、以下の作用効果が得られる。
カメラ１００は、その本体１１２に対して第１回転軸１３１の回りに回転可能に取り付けられるバリアングルモニタ１０５と、バリアングルモニタ１０５の外周端１１３に垂直な第２回転軸１３２を中心に回転可能であって、バリアングルモニタ１０５の表示画像と同一または相似の画像をユーザに観察させる電子ビューファインダ１０６とを備える電子機器である。カメラ１００が上記のように電子ビューファインダ１０６を備えるため、ユーザは、環境光が明るい場合に、カメラ１００がいかなる姿勢にあっても、バリアングルモニタ１０５の表示画像と同等の画像を自然な体勢で観察することができる。
【００５０】
以上で説明した実施の形態は、以下のように変形して実施することができる。
〔変形例１〕
上記の実施の形態では、バリアングルモニタと電子ビューファインダとを有するデジタルカメラについて説明したが、本発明の適用範囲はデジタルカメラだけに限定されない。例えば、撮像部を備えない折畳み式携帯端末などにも適用することができる。その折畳み式携帯端末は、液晶モニタを有する第１筐体とテンキー等を有する第２筐体とがヒンジ部を介して連結されており、第１筐体の外周端に次のような観察装置が設けられる。その観察装置は、接眼部を有し、接眼部から覗くことで液晶モニタの表示画面と同一の画面をユーザが観察することができるものである。
【００５１】
〔変形例２〕
上記の実施の形態では、電子ビューファインダ１０６は、小型表示部１２０を有するものとしたが、小型表示部１２０のような表示部をバリアングルモニタ１０５やカメラ１００の本体１１２に設けて、光ファイバ等を用いて接眼部１２１までその表示画像を導くことにしてもよい。また、電子ビューファインダ１０６に備わる表示部は、バリアングルモニタ１０５の液晶モニタ１１０よりも小型でなくてもよい。たとえば、液晶モニタ１１０と同一の大きさまたは液晶モニタ１１０以上の大きさの表示画面を電子ビューファインダ１０６の内部に設けて、バリアングルモニタ１０５の液晶モニタ１１０と同一またはそれ以上に拡大した画像を表示することにしてもよい。
【００５２】
電子ビューファインダ１０６の小型表示部１２０に表示する縮小画像は、カメラ１００の本体１１２で生成しなくてもよい。たとえば、バリアングルモニタ１０５の内部に新たに画像処理部を設けて、その画像処理部が本体１１２から取得した液晶モニタ１１０に表示するための画像情報に対して縮小処理を施すことにしてもよい。
【００５３】
〔変形例３〕
電子ビューファインダ１０６は、バリアングルモニタ１０５の外周端１１３であればどこの位置に設けてもよい。カメラ１００の本体１１２は、電子ビューファインダ１０６を設けた位置に対応する位置に収納用の凹部を設けることが望ましい。凹部を本体１１２の下側に設けた場合は、凹部の開口部を本体１１２の下側に設けて、電子ビューファインダ１０６の底面が本体１１２の底面と面一になるように設けることが好ましい。凹部を本体１１２の上側に設けた場合は、凹部の開口部を本体１１２の上側に設けて、電子ビューファインダ１０６の上面が本体１１２の上面と面一になるように設けることが好ましい。
【００５４】
〔変形例４〕
電子ビューファインダ１０６は、バリアングルモニタ１０５の外周端１１３に対して着脱可能に装着されることにしてもよい。その場合、電子ビューファインダ１０６を接続するための接続ポートを電子ビューファインダ１０６の外周端１１３に一つ以上設けることが望ましい。
【００５５】
図１３には、電子ビューファインダ１０６ｒを接続可能な接続ポート２２２をバリアングルモニタ１０５ｒの外周端１１３ｒに５個有するカメラ１００ｒが図示されている。各接続ポート２２２には、電子ビューファインダ１０６ｒの接続部１２２ｒが着脱可能に装着される。接続部１２２ｒと接続ポート２２２とは、通信用の電気接点を有し、電子ビューファインダ１０６ｒの接眼部１２１から観察可能とする表示画像に関する画像データがカメラ１００ｒの本体１１２ｒから送信される。
【００５６】
〔変形例５〕
本発明は、バリアングルモニタ１０５に設けられる表示部は、環境光により視認性が低下する表示部であれば、液晶モニタ１１０でなくてもよい。
【００５７】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００５８】
１００，１００ｒ：カメラ、１０３：撮像素子、１０４：制御装置、１０５，１０５ｒ：バリアングルモニタ、１０６，１０６ｒ：電子ビューファインダ、１０７：モニタ姿勢検出部、１０８：ＥＶＦ姿勢検出部、１０９：メモリ、１１０：液晶モニタ、１１１：ヒンジ部、１１２，１１２ｒ：本体、１１３，１１３ｒ：外周端、１２０：小型表示部、１２１：接眼部、１２２，１２２ｒ：接続部、１３１：第１回転軸、１３２：第２回転軸、１３３：第３回転軸、１５１：モニタ収納部、１５２：凹部、１６１：モニタ表示制御部、１６２：ＥＶＦ表示制御部
【図１】
2014206626.tif 000003
【図２】
2014206626.tif 000004
【図３】
2014206626.tif 000005
【図４】
2014206626.tif 000006
【図５】
2014206626.tif 000007
【図６】
2014206626.tif 000008
【図７】
2014206626.tif 000009
【図８】
2014206626.tif 000010
【図９】
2014206626.tif 000011
【図１０】
2014206626.tif 000012
【図１１】
2014206626.tif 000013
【図１２】
2014206626.tif 000014
【図１３】
2014206626.tif 000015